(57)【要約】      （修正有）【課題】ルアーの長手方向を水平に保ちながら水底へ向かって移動させられるようなルアーを提供する。【解決手段】ルアー本体２１と、そのルアー本体２１から離れるように位置して水流抵抗を受ける形状をなす滞流部材２２と、その滞流部材２２およびルアー本体２１を繋ぐための柄部材と、を備えたルアー２０である。柄部材は、その長手方向を曲げることができる可撓性を備えた材質にて形成する。滞流部材２２および柄部材は、ルアー本体２１の長手方向に垂直な位置にて線対称となる位置へ複数備える柄部材を、ルアー本体２１において水底へ導かれる側へ寄った位置に備える。【選択図】図１
0003189442.tif 000002
【実用新案登録請求の範囲】
【請求項１】
ルアー本体と、
そのルアー本体から離れるように位置して水流抵抗を受ける形状をなす滞流部材と、
その滞流部材および前記ルアー本体を繋ぐための柄部材と、
を備えたルアーであって、
前記の柄部材は、その長手方向を曲げることができる可撓性を備えた材質にて形成したルアー。
【請求項２】
前記の滞流部材および前記の柄部材は、ルアー本体の長手方向に垂直な位置にて線対称となる位置へ複数備えることとした請求項１に記載のルアー。
【請求項３】
前記の柄部材は、ルアー本体において水底へ導かれる側へ寄った位置に備えることとした請求項１または請求項２のいずれかに記載のルアー。
【考案の詳細な説明】
【技術分野】
【０００１】
本考案は、ルアー釣りにおいて、釣り針や錘とともに使われるルアーに関する。
【背景技術】
【０００２】
現在の釣りでは、活き餌の代わりに疑似餌（ルアー）を用いることが増えている。
ルアーは、硬質材料にて形成したハードルアーと、軟質材料にて形成したソフトルアーとに大別される。それぞれに長短があるが、いずれも釣りの対象魚に対して、如何に餌であるかをアピールする工夫が必要である。
【０００３】
ソフトルアーは、水流を受けて変形したり動いたりする部位を作製することが可能である、というメリットがある。また、ルアー本体へ釣り針を刺してしまうことで、釣り針の大部分を対象魚から視認できなくしてしまえる、という使い方ができる。
【０００４】
ソフトルアーは、その材質を樹脂とすることがほとんどであり、比重が１．０未満や１．０前後となることがほとんどである。すなわち、ソフトルアーだけでは水に浮く、あるいは沈むとしてもゆっくり沈むこととなる。それゆえ、ソフトルアーは、錘との組み合わせにて使用することとなる。
たとえば、特許文献１に開示された技術は、浮力を調整できる本体と、その本体に着脱可能な錘部とをそなえたルアーである。
【先行技術文献】
【特許文献】
【０００５】
【特許文献１】特開２００１−２２２６９号公報
【考案の開示】
【考案が解決しようとする課題】
【０００６】
さて、前述したように、錘との組み合わせで用いるソフトルアーは、図５に示すように使われる。
すなわち、図５（ａ）に示すように、釣り人によって陸（または船上）から投げられる。そして、水面３０へ着水し、図５（ｂ）に示すように、水中３１を水底に向かって沈んでいく。この場合のルアーの長手方向は、錘に向かって斜め下方向を向くこととなる。
【０００７】
さて、対象魚が好む餌が、斜め下方向を向きながら沈んでいくものばかりではない。身体の長手方向をほぼ水平に保ちながら水底へ向かって移動する（泳ぐ）生物は少なくない。
しかし、従来のルアーと錘との組み合わせでは、身体の長手方向を水平に保ちながら水底へ向かって移動させられるような技術は、ソフトルアー、ハードルアーを問わず、発見できなかった。
【０００８】
本考案が解決すべき課題は、ルアーが水流抵抗を受けることでバランスをとるような、より具体的には、ルアーの長手方向を水平に保ちながら水底へ向かって移動させられるようなルアーを提供することにある。
【課題を解決するための手段】
【０００９】
（第一の考案）
ルアー本体(21)と、  そのルアー本体(21)から離れるように位置して水流抵抗を受ける形状をなす滞流部材(22)と、  その滞流部材(22)および前記ルアー本体(21)を繋ぐための柄部材(24)と、を備えたルアー(20)である。  前記の柄部材(24)は、その長手方向を曲げることができる可撓性を備えた材質にて形成する。
【００１０】
（用語説明）
「滞流部材(22)」につき、「水流抵抗を受ける形状」とは、たとえば傘、パラシュート、アンカーなどと呼ばれる形状である。
「柄部材(24)」における「可撓性を備えた材質」とは、たとえば、軟質性の合成樹脂、硬質材料にて形成されたコイルスプリング、などがある。
【００１１】
（作用）
本考案に係るルアー(20)が水中にて移動すると、滞流部材(22)が水流抵抗を受ける。そして、滞流部材(22)が受けた水流抵抗を、柄部材(24)が曲がる動きをなすことで逃がし、ルアー本体(21)の移動を遅くする。すなわち、滞流部材(22)および柄部材(24)によって、ルアー(20)はゆっくり移動することとなる。
水中での移動が錘(11)に先導されて沈んでいく場合、水底へ向かって移動してゆく速度が弱められ、移動中のルアー(20)の動きに変化を与えることができることとなる。
【００１２】
（第一の考案のバリエーション１）
第一の考案は、以下のようなバリエーションを提供することもできる。
すなわち、滞流部材(22)および柄部材(24)は、ルアー本体(21)の長手方向に垂直な位置にて線対称となる位置へ複数備えることとしてもよい。
【００１３】
（用語説明）
「線対称となる位置へ複数備える」とは、二つ一組で対になっている場合が代表的であるが、二つ一組に加えて中央にひとつを加えた状態なども含む。
【００１４】
（作用）
複数の滞流部材(22)および柄部材(24)が備えられることにより、動きの安定に寄与する。
【００１５】
（第一の考案のバリエーション２）
第一の考案は、前記の柄部材(24)を、ルアー本体(21)において水底へ導かれる側に寄った位置へ備えることとするのが、より好ましい。
すなわち、ルアー本体(21)へ固定される錘(12)に近い位置へ柄部材(24)が位置し、その結果、滞流部材(22)も錘(12)に近い位置にて水流抵抗を受けることとなる。
【００１６】
柄部材(24)がルアー本体(21)において水底へ導かれる側に寄った位置へ備えられることにより、滞流部材(22)が水流抵抗を受けることとなる。その結果、ルアー本体(21)は水平を保とうとしながら水底へ導かれる。
【考案の効果】
【００１７】
第一の考案によれば、ルアーが水流抵抗を受けることでバランスをとるような、より具体的には、ルアーの長手方向を水平に保ちながら水底へ向かって移動させられるようなルアーを提供することができた。
【図面の簡単な説明】
【００１８】
【図１】本考案の第一の実施形態に係るルアーが水中にある場合を示す斜視図である。
【図２】本考案の第一の実施形態に係るルアーの平面図である。
【図３】本考案の第一の実施形態に係るルアーが水中にある場合の断面図である。
【図４】本考案の第一の実施形態に係るルアーが投げられ（ａ）、水中へ没し（ｂ）、沈んでいく（ｃ）様子を連続的に示した図である。
【図５】従来のルアーが投げられ、水中へ没して沈んでいく様子を連続的に示した図である。
【考案を実施するための形態】
【００１９】
以下、本考案の実施形態について図面を参照して説明する。ここで使用するのは、図１から図４である。
【００２０】
まず、図２に基づいて、本実施形態に係るルアー２０の全体形状を示す。
このルアー２０は、いわゆるソフトルアーと呼ばれる、全体を合成樹脂にて形成した軟質なルアーである。
ルアー本体２１は、水生昆虫（トビゲラなど）に代表的な全体形状をなす。カールした二本の尾を備えるが、その反対端に傘を模した二本の腕を備える。
【００２１】
その傘は、ルアー本体２１から延設される柄部材２４と、その柄部材２４の先端に位置する滞流部材２２とからなる。
前述したように、ルアー本体２１は軟質素材で形成されているので、柄部材２４も滞流部材２２も軟質である。柄部材２４は、ルアー本体２１よりもずっと細いので、その長手方向には、簡単に曲がる。
【００２２】
ルアー本体２１の腹部分（中央付近）を貫通させるように釣り針１２を突き刺し、その釣り針１２の根元には、ライン１０が結ばれている。そのライン１０のルアー本体２１とあまり離れない位置には、錘１１が固定される。
【００２３】
滞流部材２２は、ルアー本体２１が沈んでいく際に、水流抵抗を受ける形状をなしている。図３に表しているが、傘の内曲面を補強するための骨部材２３が存在する。すなわち、骨部材２３は、半球面をなす滞流部材２２が水流抵抗を受けることによってひっくり返るのを防止している。
【００２４】
錘１１とともに水中へ没したルアー本体２１は、錘１１を水底へ向けて沈もうとするが、滞流部材２２が水流抵抗を受ける。そのため、ルアー本体２１の長手方向は、水平を保とうとしながら、ゆっくり沈んでいく。
【００２５】
図４とともに説明する。
図４（ａ）に示すように、ライン１０へ錘１１とともに固定されたルアー２０は、釣り人によって投げられ、水面３０へ着水する。着水したら、図４（ｂ）に示すように、比重が大きい錘１１が沈み、その錘１１とライン１０でつながれたルアー本体２１も、錘１１に引っ張られて沈もうとする。
しかし、錘１１に近い側へ位置させている滞流部材２２が水流抵抗を受けるので、図４（ｃ）に示すように、ルアー本体２１の長手方向は水平を保とうとする。釣り人が釣り竿を操作することによる対象魚への誘い動作の際、釣り人の釣り竿の動作速度は、滞流部材２２が水流抵抗を受けてルアー本体２１への応答を弱め、自然の動きに近づく。その姿に興味を示す対象魚４０が、ルアー本体２１へ突き刺している釣り針１２に食いついてくるのを、釣り人は待つ。
【００２６】
柄部材２４も滞流部材２２も軟質であるため、適度に変形することで、水流抵抗を逃がすこともある。その際には、柄部材２４も滞流部材２２も不規則に揺れ、ルアー本体２１も不規則な動きをすることとなる。そのため、対象魚をだましやすく、食いつきの確率上昇に寄与すると推測される。
【００２７】
本実施形態に係るルアー２０は、ソフトルアーであり、合成樹脂製である。樹脂としては、主に軟質ゴムである。具体的には、たとえばシリコーンゴム、スチレン-ブタジエンゴム（ＳＢＲ）、ポリブタジエンゴム（ＢＲ）、ブタジエン−アクリロニトリルゴム（ＮＢＲ）、ポリイソプレンゴム（ＩＲ）、エチレン−プロピレン共重合ゴム（ＥＰＭ）、エチレン−プロピレン−非共役ジエン共重合ゴム（ＥＰＤＭ）、ウレタンゴムなどである。
また、熱可塑性エラストマーとして、スチレン系TPE、オレフィン系TPE、塩化ビニル系TPE、ウレタン系TPE、エステル系TPE、アミド系TPE、塩素化ポリエチレン系TPE、なども採用できる。
【産業上の利用可能性】
【００２８】
本考案は、釣り具の製造業、販売業またはレンタル業、アウトドアスポーツのインストラクター事業などにおいて、利用可能性を有する。
【符号の説明】
【００２９】
１０；  ライン              １１；  錘
１２；  釣り針
２０；  ルアー              ２１；  ルアー本体
２２；  滞流部材            ２３；  骨部材
２４；  柄部材
３０；  水面                ３１；  水中
４０；  対象魚
【図１】
0003189442.tif 000003
【図２】
0003189442.tif 000004
【図３】
0003189442.tif 000005
【図４】
0003189442.tif 000006
【図５】
0003189442.tif 000007